(57)【特許請求の範囲】
【請求項１】
載置面に当たる複数の脚部が設けられた底面と、上記底面に開口された凹所とを有し、上記底面から引き出された複数のケーブルが上記載置面と上記底面との間の隙間を通して配線されたスタンドと、
上記凹所に格納されて上記底面よりも上記スタンドの内側の第１の位置と、上記底面から上記スタンドの下方に向けて突出する第２の位置との間で回動可能に上記スタンドに支持されたチルト脚と、を具備し、
上記チルト脚を上記第１の位置から上記第２の位置に回動させることにより、上記載置面の上で上記スタンドを傾斜させるチルト構造であって、
上記チルト脚は、上記スタンドの上記底面に回動可能に支持された一対の支持部と、これら支持部の間に跨るブリッジ部とを有し、上記スタンドの上記底面から引き出された上記ケーブルは、上記チルト脚の上記ブリッジ部と上記載置面との間を通して上記スタンドの外に導かれるとともに、
上記チルト脚を上記第２の位置に回動させた時に上記載置面と向かい合う上記ブリッジ部の先端縁部に、上記複数のケーブルが挿通可能な大きさを有する一つの凹部を形成したチルト構造。
【請求項２】
請求項１の記載において、上記複数のケーブルを通す凹部は、上記チルト脚の上記支持部の間に跨っているチルト構造。
【請求項３】
請求項１又は請求項２の記載において、上記チルト脚の上記凹部は、上記支持部の間の中央に進むに従い上記ブリッジ部に対する深さ寸法が次第に増加する形状を有するチルト構造。
【請求項４】
請求項３の記載において、上記チルト脚の上記凹部は、円弧状に切り欠かれた形状を有するチルト構造。
【請求項５】
請求項１の記載において、上記スタンドの上記底面は、上記チルト脚の上記ブリッジ部を間に挟んで向かい合う箇所に、上記ケーブルが入り込む複数の溝と、上記ケーブルを上記溝内に取り外し可能に保持する複数のフックとを有するチルト構造。
【請求項６】
請求項５の記載において、上記チルト脚の上記ブリッジ部は、上記第１の位置に回動させた時に上記スタンドの上記底面に沿う表面を有し、この表面のうち上記溝の間に位置する箇所に、上記ケーブルの挿通位置を定める複数のケーブルガイドが形成されたチルト構造。
【請求項７】
請求項６の記載において、上記ケーブルガイドは、上記溝の間を結ぶように延びる一対のリブによって規定され、これらリブは、上記ブリッジ部の上記表面から突出されているとともに、上記リブの先端面は、上記チルト脚が上記第１の位置に回動された時に、上記筐体の上記底面と同一面上に位置されたチルト構造。
【請求項８】
載置面に当たる複数の脚部が設けられた底面と、上記底面に開口された凹所とを有し、上記底面から引き出された複数のケーブルが上記載置面と上記底面との間の隙間を通して配線されたスタンドを含む機器本体と、
上記スタンドの上記凹所に格納されて上記底面よりも上記スタンドの内側の第１の位置と、上記底面から上記スタンドの下方に向けて突出する第２の位置との間で回動可能に上記スタンドに支持されたチルト脚と、を具備し、
上記チルト脚を上記第１の位置から上記第２の位置に回動させることにより、上記載置面の上で上記スタンドを傾斜させる電子機器であって、
上記チルト脚は、上記スタンドの上記底面に回動可能に支持された一対の支持部と、これら支持部の間に跨るブリッジ部とを有し、上記スタンドの上記底面から引き出された上記ケーブルは、上記チルト脚の上記ブリッジ部と上記載置面との間を通して上記スタンドの外に導かれるとともに、
上記チルト脚を上記第２の位置に回動させた時に上記載置面と向かい合う上記ブリッジ部の先端縁部に、上記複数のケーブルが挿通可能な大きさを有する一つの凹部を形成した電子機器。
【請求項９】
請求項８の記載において、上記スタンドの上記底面は、上記チルト脚の上記ブリッジ部を間に挟んで向かい合う箇所に、上記ケーブルが入り込む複数の溝と、上記ケーブルを上記溝内に取り外し可能に保持する複数のフックとを有する電子機器。
【請求項１０】
請求項８の記載において、上記チルト脚の上記ブリッジ部は、上記第１の位置に回動させた時に上記スタンドの上記底面に沿う表面を有し、この表面のうち上記溝の間に位置する箇所に、上記ケーブルの挿通位置を定める複数のケーブルガイドが形成された電子機器。
【請求項１１】
請求項８の記載において、上記チルト脚の上記凹部は、上記チルト脚の上記支持部の間に跨るように円弧状に切り欠かれた形状を有する電子機器。
【発明の詳細な説明】
【技術分野】
【０００１】
本発明は、複数のケーブルが引き出されるスタンドを一つのチルト脚を用いて傾斜させるチルト構造に関する。さらに、本発明は、スタンドに機器本体を回動可能に取り付けた電話機のような電子機器に係り、特に複数のケーブルが引き出されるスタンドを一つのチルト脚を用いて傾斜させるための構造に関する。
【背景技術】
【０００２】
事務用あるいは家庭用等の一般的用途を想定した電話機として、ダイヤルボタンや液晶ディスプレイを有する機器本体と、この機器本体を支持するスタンドとを備えたものが知られている。
【０００３】
この種の電話機では、スタンドの底にチルト脚が組み込まれている。チルト脚は、例えば机の天板の上に置かれた電話機を傾斜させる際に使用するものであって、スタンドの底に格納される格納位置と、スタンドの底から突出する使用位置との間で回動可能となっている。
【０００４】
そのため、チルト脚を使用位置に回動させると、チルト脚が机の天板とスタンドの底との間で起立し、スタンドをオペレータの手元側が低くなるような姿勢に傾斜させる。これにより、装置本体上のダイヤルボタンや液晶ディスプレイがオペレータと向かい合い、ダイヤルボタンの操作性および液晶ディスプレイの視認性が向上するようになっている（例えば、特許文献１参照）。
【特許文献１】特開平１０−４４４７号公報
【発明の開示】
【発明が解決しようとする課題】
【０００５】
ところで、数多くの拡張機能を有する多機能の電話機では、スタンドの底から電話回線接続ケーブル、例えばパーソナルコンピュータや外部スピーカのような外部モジュールに接続される接続ケーブルおよびＬＡＮケーブルのような複数のケーブルが引き出されている。
【０００６】
これらケーブルの引き出し方向に上記チルト脚が位置する場合、ケーブルはチルト脚を迂回して配線せざるを得なくなる。そのため、スタンドの底から引き出されるケーブルの配線経路が複雑となり、ケーブルの配線処理が煩雑となるのを否めない。
【０００７】
しかも、複数のケーブルがチルト脚を避けた位置から任意な方向に引き出されるので、ケーブルを配線した後の電話機の見栄えが悪くなるといった不具合がある。
【０００８】
本発明の目的は、スタンドから引き出されたケーブルの配線を容易に行えるとともに、ケーブルを配線処理した後の外観を良好に維持できるチルト構造を得ることにある。
【０００９】
本発明の他の目的は、スタンドから引き出されたケーブルの配線を容易に行えるとともに、ケーブルを配線処理した後の外観を良好に維持できるチルト構造を有する電子機器を得ることにある。
【課題を解決するための手段】
【００１０】
上記目的を達成するため、本発明の一つの形態に係るチルト構造は、
載置面に当たる複数の脚部が設けられた底面と、上記底面に開口された凹所とを有し、上記底面から引き出された複数のケーブルが上記載置面と上記底面との間の隙間を通して配線されたスタンドと、
上記凹所に格納されて上記底面よりも上記スタンドの内側の第１の位置と、上記底面から上記スタンドの下方に向けて突出する第２の位置との間で回動可能に上記スタンドに支持されたチルト脚と、を備えている。
上記チルト脚は、上記スタンドの上記底面に回動可能に支持された一対の支持部と、これら支持部の間に跨るブリッジ部とを有し、上記スタンドの上記底面から引き出された上記ケーブルは、上記チルト脚の上記ブリッジ部と上記載置面との間を通して上記スタンドの外に導かれるとともに、
上記チルト脚を上記第２の位置に回動させた時に上記載置面と向かい合う上記ブリッジ部の先端縁部に、上記複数のケーブルが挿通可能な大きさを有する一つの凹部を形成したことを特徴としている。
【００１１】
上記目的を達成するため、本発明の一つの形態に係る電子機器は、
載置面に当たる複数の脚部が設けられた底面と、上記底面に開口された凹所とを有し、上記底面から引き出された複数のケーブルが上記載置面と上記底面との間の隙間を通して配線されたスタンドを含む機器本体と、
上記スタンドの上記凹所に格納されて上記底面よりも上記スタンドの内側の第１の位置と、上記底面から上記スタンドの下方に向けて突出する第２の位置との間で回動可能に上記スタンドに支持されたチルト脚と、を備えている。
上記チルト脚は、上記スタンドの上記底面に回動可能に支持された一対の支持部と、これら支持部の間に跨るブリッジ部とを有し、上記スタンドの上記底面から引き出された上記ケーブルは、上記チルト脚の上記ブリッジ部と上記載置面との間を通して上記スタンドの外に導かれるとともに、
上記チルト脚を上記第２の位置に回動させた時に上記載置面と向かい合う上記ブリッジ部の先端縁部に、上記複数のケーブルが挿通可能な大きさを有する一つの凹部を形成したことを特徴としている。
【発明の効果】
【００１２】
本発明によれば、チルト脚が第２の位置に回動されている状態においても、太さや幅が異なる複数のケーブルを、チルト脚の一つの凹部を通してスタンドの外に引き出すことができる。このため、複数のケーブルの配線経路が複雑化することはなく、ケーブルの配線作業を容易に行うことができる。
【００１３】
しかも、ケーブルはチルト脚の一つの凹部を共有して配線されるので、チルト脚にケーブルを通す複数の孔や切り欠きを設ける必要はない。よって、チルト脚の外観に悪影響が生じることはなく、ケーブルを配線処理した後の電子機器の外観が良好となる。
さらに、チルト脚が第１の位置に回動された状態では、チルト脚が凹所に入り込むので、スタンドの底面と載置面との間の隙間がチルト脚で減じられることはない。そのため、チルト脚が第１の位置に回動された状態にある時に、スタンドの底面と載置面との間にケーブルを通しても、スタンドが載置面から浮き上がることはない。この結果、スタンドのがたつきを防止でき、電子機器の姿勢が安定する。
【発明を実施するための最良の形態】
【００１４】
以下本発明の第１の実施の形態を、図１ないし図７に基づいて説明する。
【００１５】
図１および図２は、電子機器の一例である電話機１を開示している。本実施の形態に係る電話機１は、事務用あるいは家庭用等の一般的用途を想定しており、例えば机の天板のような載置面２の上に置いたり、壁に掛けて使用することができる。
【００１６】
電話機１は、スタンド３、機器本体４およびハンドセット５を備えている。スタンド３は、底板６とトップカバー７とを有している。底板６は、載置面２と向かい合う長方形の底面６ａを有している。底面６ａの四つの角部に、夫々下向きに突出する脚部８が形成されている。脚部８の先端面は、載置面２に突き当たっている。そのため、スタンド３を載置面２の上に置いた状態では、底板６の底面６ａと載置面２との間に隙間Ｓが生じるようになっている。
【００１７】
さらに、底板６の中央部にケーブル導出孔９が形成されている。ケーブル導出孔９は、上記隙間Ｓに通じている。
【００１８】
トップカバー７は、底板６を上方から覆う上壁１０を有している。上壁１０は、上向きに凸となるように円弧状に湾曲している。上壁１０の中央部に開口部１１が形成されている。開口部１１は、スタンド３の幅方向に延びる長方形の開口形状を有するとともに、底板６のケーブル導出孔９と向かい合っている。
【００１９】
機器本体４は、筐体１２を備えている。筐体１２は、ボトムケース１３とトップカバー１４とで構成されて、偏平な四角い箱状をなしている。ボトムケース１３に下向きに突出する連結部１６が形成されている。連結部１６は、機器本体４の幅方向に延びる半円筒状であり、円弧状に湾曲する外周面１６ａを有している。
【００２０】
トップカバー１４は、ボトムケース１３を上方から覆っている。トップカバー１４は、平坦な上面１４ａを有している。トップカバー１４の上面１４ａに複数のダイヤルボタン１７、複数の固定機能ボタン１８および複数のフリーアサインボタン１９が配列されている。さらに、トップカバー１４の上面１４ａに液晶表示部２０が配置されている。液晶表示部２０は、例えば電話番号、カレンダー、時刻、発信・着信状況およびフリーアサインボタン１９に個々に設定した内容を表示するようになっている。
【００２１】
さらに、トップカバー１４の上面１４ａの左端部にハンドセット載置部２１が形成されている。ハンドセット５は、ハンドセット載置部２１の上に置かれている。
【００２２】
図１および図２に示すように、機器本体４の連結部１６は、その外周面１６ａの一部がスタンド３の開口部１１に入り込むとともに、スタンド３の底板６に摺動可能に支持されている。さらに、連結部１６は、その外周面１６ａに開口するように切り欠かれた凹部２２を有している。図１ないし図３に示すように、凹部２２は、一対の側面２３と天井面２４とを有している。側面２３は、機器本体４の幅方向に向かい合うとともに、天井面２４は、スタンド３の上壁１０の開口部１１と向かい合っている。
【００２３】
連結部１６の側面２３は、夫々図示しない角度可変機構を介してスタンド３に揺動可能に支持されている。本実施の形態では、連結部１６の揺動角度は、例えば１０°刻みで５段階に亘って調整し得るようになっている。この連結部１６の角度調整は、オペレータがロックレバー２５を指先で押し下げた状態で実行される。ロックレバー２５は、開口部１１の後端からスタンド３の上方に露出している。
【００２４】
図３および図６に示すように、機器本体４の筐体１２の内部にプリント回路板２７が収容されている。プリント回路板２７は、トップカバー１４の上面１４ａと平行に配置されている。プリント回路板２７の前端部の下面に第１ないし第４のモジュラージャック２８，２９，３０，３１および単一のコネクタ３２が実装されている（図４および図７を参照）。
【００２５】
第１ないし第４のモジュラージャック２８，２９，３０，３１およびコネクタ３２は、機器本体４の幅方向に一列に並んでいるとともに、連結部１６の凹部２２の天井面２４から凹部２２内に露出している。そのため、第１ないし第４のモジュラージャック２８，２９，３０，３１およびコネクタ３２は、スタンド３の上壁１０に位置する開口部１１を通じてスタンド３の底板６に開けたケーブル導出孔９と向かい合っている。コネクタ３２は、第２のモジュラージャック２９と第３のモジュラージャック３０との間に位置している。
【００２６】
第１のモジュラージャック２８は、例えばアドオンモジュール接続ケーブル（図示せず）を接続するためのものである。第２のモジュラージャック２９は、電話回線接続ケーブル３５を接続するためのものである。第３のモジュラージャック３０は、例えばＬＡＮケーブル３６を接続するためのものである。第４のモジュラージャック３１は、ハンドセット接続ケーブル（図示せず）を接続するためのものである。さらに、コネクタ３２は、外部スピーカ接続ケーブル（図示せず）を接続するためのものである。これらケーブル３５，３６は、太さや幅寸法が互いに異なっており、その中でもＬＡＮケーブル３６が最も太い径を有している。
【００２７】
第２のモジュラージャック３０に接続された電話回線接続ケーブル３５および第３のモジュラージャック３１に接続されたＬＡＮケーブル３６は、凹部２２の天井面２４から凹部２２を通じてスタンド３の内側に導かれた後、ケーブル導出孔９を通じてスタンド３の底面６ａと載置面２との間の隙間Ｓに引き出されている。
【００２８】
図４および図７に示すように、スタンド３の底板６に凹所３８が形成されている。凹所３８は、上記ケーブル導出孔９よりも後方においてスタンド３の幅方向に延びるとともに、底板６の底面６ａに開口している。
【００２９】
さらに、スタンド３の底板６にチルト脚４０が組み付けられている。チルト脚４０は、スタンド４の幅方向に延びるフラットな板状に形成されている。チルト脚４０は、一対の支持部４１ａ，４１ｂとブリッジ部４２とを備えている。
【００３０】
支持部４１ａ，４１ｂは、夫々四角い板状をなしている。各支持部４１ａ，４１ｂは、第１の端部４３と第２の端部４４とを有している。一方の支持部４１ａの第１の端部４３は、底板６の底面６ａの幅方向に沿う一端部に図示しないヒンジを介して支持されている。他方の支持部４１ａの第１の端部４３は、底板６の底面６ａの幅方向に沿う他端部に図示しないヒンジを介して支持されている。このため、チルト脚４０の支持部４１ａ，４１ｂは、スタンド３の幅方向に互いに離間している。それとともに、支持部４１ａ，４１ｂと底板６との連結箇所は、凹所３８を避けるように底板６の後端部に位置している。
【００３１】
各支持部４１ａ，４１ｂの第２の端部４４は、第１の端部４３の反対側に位置している。第２の端部４４の先端縁部には、載置面２に接するパット４５が取り付けられている。
【００３２】
チルト脚４０のブリッジ部４２は、支持部４１ａ，４１ｂの間に跨るとともに、支持部４１ａ，４１ｂと一体化されている。言い換えると、底板６に支持された支持部４１ａ，４１ｂは、ブリッジ部４２を介して一体的に連結されている。
【００３３】
このことから、チルト脚４０は、支持部４１ａ，４１ｂの第１の端部４３を支点として第１の位置と第２の位置との間で回動可能となっている。図３および図４は、チルト脚４０が第１の位置に回動した状態を開示している。第１の位置では、チルト脚４０は、底板６の底面６ａに沿うように倒れこんで、凹所３８内に入り込むとともに、図示しないロック機構により第１の位置に保持される。
【００３４】
第１の位置に回動されたチルト脚４０は、チルト脚４０の平坦な表面４０ａがスタンド３の下方を向く姿勢に保持されている。この際、チルト脚４０の表面４０ａは、スタンド３の底面６ａよりも凹所３８の内側に引っ込んでおり、チルト脚４０がスタンド３の底面６ａと載置面２との間の隙間Ｓに張り出すことがないような工夫がなされている。
【００３５】
図６および図７は、チルト脚４０が第２の位置に回動した状態を開示している。第２の位置では、チルト脚４０は、スタンド３の底面６ａから下向きに突出するように起立するとともに、ロック機構により第２の位置に保持される。
【００３６】
第２の位置に回動されたチルト脚４０は、チルト脚４０の表面４０ａをスタンド３の後方に向けた姿勢で載置面２とスタンド３との間で起立している。これにより、スタンド３が前下がりの姿勢に傾斜するとともに、載置面２に対する機器本体４の起立角度が大きくなる。よって、機器本体４の上面１４ａに位置するダイヤルボタン１７、固定機能ボタン１８、フリーアサインボタン１９の操作性および液晶表示部２０の視認性が向上するようになっている。
【００３７】
一方、図４および図７に示すように、ケーブル導出孔９からスタンド３の底面６ａの方向に引き出された電話回線ケーブル３５は、チルト脚４０が第１および第２の位置にいずれに保持されている状態においても、チルト脚４０を跨いでスタンド３の後方に引き出されている。言い換えると、電話回線ケーブル３５は、チルト脚４０と交差するようにしてスタンド３から引き出されている。
【００３８】
スタンド３の底板６の底面６ａに第１ないし第４の配線溝４７，４８，４９，５０が形成されている。第１ないし第４の配線溝４７，４８，４９，５０は、上記ケーブル導出孔９から引き出された各種のケーブル３５，３６を通すためのものであり、本実施の形態では、各種のケーブルの中で最も太いＬＡＮケーブル３６が入り込める寸法を有している。
【００３９】
第１の配線溝４７および第２の配線溝４８は、チルト脚４０の支持部４１ａ，４１ｂの間においてスタンド３の奥行き方向に延びているとともに、互いに間隔を存して平行に並んでいる。
【００４０】
第１の配線溝４７は、ケーブル導出孔９の開口端に位置する第１の溝部４７ａと、底面６ａの後端部に位置する第２の溝部４７ｂとに分けられている。同様に、第２の配線溝４８は、ケーブル導出孔９の開口端に位置する第１の溝部４８ａと、底面６ａの後端部に位置する第２の溝部４８ｂとに分けられている。
【００４１】
したがって、第１の配線溝４７の第１および第２の溝部４７ａ，４７ｂと、第２の配線溝４８の第１および第２の溝部４８ａ，４８ｂは、夫々チルト脚４０のブリッジ部４２を間に挟んで向かい合うような位置関係を保っている。
【００４２】
第３の配線溝４９は、ケーブル導出孔９の開口端からスタンド３の幅方向に沿う一端に向けて延びている。第４の配線溝５０は、ケーブル導出孔９の開口端からスタンド３の幅方向に沿う他端に向けて延びている。
【００４３】
図４および図７に示すように、第１および第２の配線溝４７〜５０の開口縁に、夫々複数のフック５２が形成されている。フック５２は、上記各種のケーブルを第１ないし第４の配線溝４７〜５０に取り外し可能に保持するためのものである。第１の配線溝４７に対応するフック５２は、第１および第２の溝部４７ａ，４７ｂに一つずつ配置されている。同様に、第２の配線溝４８に対応するフック５２は、第１および第２の溝部４８ａ，４８ｂに一つずつ配置されている。
【００４４】
図２および図７に示すように、チルト脚４０を第２の位置に回動させた時に載置面２と向かい合うブリッジ部４２の先端縁部に、各種のケーブル３５，３６を避ける凹部５４が形成されている。凹部５４は、チルト脚４０の支持部４１ａ，４１ｂの間に跨るとともに、円弧状に切り欠かれた形状をなしている。言い換えると、凹部５４は、チルト脚４０の支持部４１ａ，４１ｂの間の中央に進むに従いブリッジ部４２に対する深さＤが連続的に増加している。
【００４５】
そのため、チルト脚４０を第２の位置に回動させた状態において電話機１を背後から見ると、チルト脚４０は図２に示すようなアーチ形状をなしている。
【００４６】
図３および図４は、チルト脚４０が第１の位置に保持されている時の電話回線接続ケーブル３５の配線経路を開示している。スタンド３のケーブル導出孔９から底板６の裏側に引き出された電話回線接続ケーブル３５は、例えば第１の配線溝４７の第１および第２の溝部４７ａ，４７ｂにフック５２を介して保持されるとともに、スタンド３の後方に導かれている。さらに、電話回線接続ケーブル３５は、第１の位置に保持されたチルト脚４０の表面４０ａの上を横切っている。
【００４７】
チルト脚４０の表面４０ａの上に一対のケーブルガイド５５，５６が形成されている。一方のケーブルガイド５５は、第１の配線溝４７の第１の溝部４７ａと第２の溝部４７ｂとの間に位置している。他方のケーブルガイド５６は、第２の配線溝４８の第１の溝部４７ａと第２の溝部４７ｂとの間に位置している。
【００４８】
ケーブルガイド５５，５６は、夫々一対のリブ５７によって規定されている。リブ５７は、第１および第２の配線溝４７，４８の溝方向に延びるとともに、互いに間隔を存して平行に並んでいる。リブ５７の配置間隔は、第１および第２の溝部４７ａ，４７ｂ、４８ａ，４８ｂの溝幅と一致している。さらに、リブ５７の先端面は、チルト脚４０が第１の位置に保持された状態では、スタンド３の底面６ａと同一面上に位置している。
【００４９】
この結果、電話回線接続ケーブル３５が第１の位置に保持されたチルト脚４０の表面４０ａの上を横切る場合、電話回線接続ケーブル３５はリブ５７の間を通して第１の配線溝４７の第１の溝部４７ａから第２の溝部４７ｂに導かれている。
【００５０】
図６および図７は、チルト脚４０が第２の位置に保持されている時の電話回線接続ケーブル３５の配線経路を示している。スタンド３のケーブル導出孔９から底板６の裏側に引き出された電話回線接続ケーブル３５は、第１の配線溝４７の第１の溝部４７ａにフック５２を介して保持された後、チルト脚４０のブリッジ部４２に形成した凹部５４を通してスタンド３の後方に導かれている。
【００５１】
本発明の第１の実施の形態によると、チルト脚４０を第２の位置に回動させた状態では、図６に示すように、チルト脚４０がスタンド３の底面６ａと載置面２との間で起立している。この場合、チルト脚４０のブリッジ部４２は、載置面２と向かい合う先端縁部に円弧状に切り欠かれた凹部５４を有し、この凹部５４はチルト脚４０の支持部４１ａ，４１ｂの間に跨っている。
【００５２】
そのため、例えば第１ないし第４のモジュラージャック２８〜３１に接続された四本のケーブルをケーブル導出孔９からスタンド３の底板６の下方を通してスタンド３の後方に導く場合に、太さや幅が異なる四本のケーブルをチルト脚４０の一つの凹部５４を通して配線することができる。
【００５３】
すなわち、チルト脚４０がスタンド３の底から下向きに突出している状態においても、四本のケーブルをチルト脚４０を迂回して引き回す必要はなく、ケーブルの配線経路が複雑とならずに済む。よって、第１ないし第４のモジュラージャック２８〜３１からケーブル導出孔９に導かれた四本のケーブルを、そのままスタンド３の底板６に沿わせてスタンド３の後方に引き出すことができ、ケーブルの配線作業を容易に行うことができる。
【００５４】
さらに、四本のケーブルは、チルト脚４０の凹部５４を通して配線されるので、チルト脚４０に四本のケーブルを個々に通す孔や切り欠きを設ける必要はない。特に本実施の形態の凹部５４は、チルト脚４０の支持部４１ａ，４１ｂの間に跨るように円弧状に湾曲している。そのため、第２の位置に保持されたチルト脚４０を電話機１の後方から見た場合に、凹部５４を有するチルト脚４０のブリッジ部４２がアーチ形状となるような視覚的な印象が得られる。
したがって、チルト脚４０の外観に悪影響が生じることはなく、複数のケーブルを配線処理した後の電話機１の見栄えが良好となる。
【００５５】
加えて、上記構成によると、チルト脚４０が第１の位置に保持された状態においては、図４に最もよく示されるように、スタンド３の底面６ａに沿うチルト脚４０の表面４０ａにケーブルガイド５５，５６が位置している。ケーブルガイド５５，５６を構成する一対のリブ５７は、第１の配線溝５７の溝幅と同等の幅を有して互いに平行に配置されている。そのため、リブ５７は、例えばケーブル導出孔９から引き出された電話回線接続ケーブル３５を、チルト脚４０の表面４０ａを通して配線してよいことを認識させる目印となる。
【００５６】
言い換えると、チルト脚４０がスタンド３の底面６ａに沿う第１の位置に保持されている状態では、例えば第１の配線溝４７の第１の溝部４７ａと第２の溝部４７ｂとの間にチルト脚４０が介在されて、電話回線接続ケーブル３５をどのように引き回してよいのか迷うことがあり得る。
【００５７】
しかるに、第１の位置に保持されたチルト脚４０の表面４０ａにリブ５７が存在すれば、電話回線接続ケーブル３５の配線経路が直感的に分かるので、電話回線接続ケーブル３５の配線作業を容易に行うことができる。
【００５８】
しかも、チルト脚４０が第１の位置に保持されている状態においては、リブ５７の先端面はスタンド３の底面６ａと同一面上に位置している。そのため、スタンド３の底面６ａに例えば電話機１を壁に掛けて使用するための壁取り付け金具を装着する場合でも、リブ５７が壁取り付け金具と干渉することはない。よって、スタンド３の底面６ａに壁取り付け金具を簡単に装着することができる。
【００５９】
さらに、チルト脚４０が第１の位置に保持された状態では、このチルト脚４０によってスタンド３の底面６ａを部分的に覆うことができる。それとともに、チルト脚４０の表面４０ａは、底面６ａよりもスタンド３の内側に引っ込んでいるので、底面６ａと載置面２との間の隙間Ｓがチルト脚４０によって減じられることはない。
【００６０】
したがって、底面６ａと載置面２との間の隙間Ｓに電話回線接続ケーブル３５のようなケーブルを通した時に、スタンド３が載置面２から浮き上がることはない。よって、スタンド３のがたつきを防止でき、電話機１の姿勢が安定する。
【００６１】
本発明は上記第１の実施の形態に特定されるものではなく、発明の主旨を逸脱しない範囲内で種々変形して実施できる。
【００６２】
図８は、本発明の第２の実施の形態を開示している。
【００６３】
第２の実施の形態は、チルト脚４０の凹部６１の形状が上記第１の実施の形態と相違しており、それ以外の電話機１の構成は第１の実施の形態と同様である。
【００６４】
図８に示すように、チルト脚４０の凹部６１は、直線状をなす第１および第２の縁部６２ａ，６２ｂで規定されている。第１の縁部６２ａは、一方の支持部４１ａの先端縁部からブリッジ部４２の幅方向に沿う中央に向けて上向きに傾斜している。第２の縁部６２ｂは、他方の支持部４１ｂの先端縁部からブリッジ部４２の幅方向に沿う中央に向けて上向きに傾斜している。そのため、第１の縁部６２ａと第２の縁部６２ｂとは、ブリッジ部４２の幅方向に沿う中央で交差している。
【００６５】
よって、凹部６１は、チルト脚４０の支持部４１ａ，４１ｂの間の中央に進むに従いブリッジ部４２に対する深さＤが次第に増加するように、三角形状に切り欠かれた形状をなしている。
【００６６】
図９は、本発明の第３の実施の形態を開示している。
【００６７】
第３の実施の形態は、チルト脚４０の凹部７１の形状が上記第１の実施の形態と相違しており、それ以外の電話機１の構成は第１の実施の形態と同様である。
【００６８】
図９に示すように、チルト脚４０の凹部７１は、支持部４１ａ，４１ｂの互いに向かい合う側縁７２ａ，７２ｂと、これら側縁７２ａ，７２ｂの間に跨る真っ直ぐな縁部７３とで規定されている。縁部７３は、載置面２と平行に延びている。そのため、凹部７１は、ブリッジ部４２に対する深さＤが一定となっている。
【００６９】
なお、本発明に係るチルト脚を有する電子機器は、上記実施の形態に開示した電話機に特定されるものではなく、例えば、情報端末機器あるいは携帯形の表示装置のようなその他の電子機器であっても同様に実施可能である。
【図面の簡単な説明】
【００７０】
【図１】本発明の第１の実施の形態に係る電話機を正面から見た斜視図。
【図２】本発明の第１の実施の形態に係る電話機を背後から見た斜視図。
【図３】本発明の第１の実施の形態において、チルト脚を第１の位置に回動させた状態を示す電話機の断面図。
【図４】本発明の第１の実施の形態において、チルト脚が第１の位置に回動された状態をスタンドの底側から見た電話機の斜視図。
【図５】図４のF5-F5線に沿う断面図。
【図６】本発明の第１の実施の形態において、チルト脚を第２の位置に回動させた状態を示す電話機の断面図。
【図７】本発明の第１の実施の形態において、チルト脚が第２の位置に回動された状態をスタンドの底側から見た電話機の斜視図。
【図８】本発明の第２の実施の形態に係る電話機を背後から見た斜視図。
【図９】本発明の第３の実施の形態に係る電話機を背後から見た斜視図。
【符号の説明】
【００７１】
２…載置面、３…スタンド、４…機器本体、６ａ…底面、８…脚部、３５，３６…ケーブル（電話回線接続ケーブル、ＬＡＮケーブル）、３８…凹所、４０…チルト脚、４１ａ，４１ｂ…支持部、４２…ブリッジ部、５４，６１，７１…凹部、Ｓ…隙間。
【図１】
0004843575.tif 000002
【図２】
0004843575.tif 000003
【図３】
0004843575.tif 000004
【図４】
0004843575.tif 000005
【図５】
0004843575.tif 000006
【図６】
0004843575.tif 000007
【図７】
0004843575.tif 000008
【図８】
0004843575.tif 000009
【図９】
0004843575.tif 000010